(57)【要約】      （修正有）【課題】情報のための多様なデータを保持するカードに接触するように、携帯電話のような電子装置上に備え付けられるカードソケットの筐体上に備え付けられる接触端子に関し、カード上に備え付けられる単一のカード端子との複数の接触を可能にしたカードソケット接触端子の実現。【解決手段】カードソケット１の接触端子２００は、カード端子２ａに接触するように、カード２上に備え付けられるカード端子に対応する数で備え付けられる主端子２１０と、それぞれの主端子が接続する同一のカード端子およびそれぞれの主端子にそれぞれ接続される補助端子２２０とを備える。【効果】単一のカード端子との複数の接触を形成することが可能であるため、万一主端子が損傷した場合でも補助端子を介してカード端子との接触を可能にする。【選択図】図１
2015002174.tif 000002
【特許請求の範囲】
【請求項１】
様々なデータまたは情報を保持するカードに接触するように、電子装置上に備え付けられる、複数の接触点を有するカードソケット接触端子であって、
カード端子に接触するように、前記カード上に備え付けられる前記カード端子に対応する数が備え付けられる主端子と、
それぞれの主端子が接続する前記同一のカード端子およびそれぞれの主端子の双方にそれぞれ接続される補助端子と、を備え、
これによって、単一のカード端子との複数の接触を形成する能力のために、万一前記主端子が損傷した場合でも前記補助端子を介して前記カード端子と接触することが可能である、カードソケット接触端子。
【請求項２】
前記補助端子が垂直方向に弾性的に変形されるとき、前記主端子もまた垂直方向に弾性的に変形される、複数の接触点を有するカードソケット内で使用するための、請求項１に記載のカードソケット接触端子。
【請求項３】
前記主端子および補助端子は、
前記主端子および補助端子を接続する接続部分から延在され、内部弾性を有するように前端に向かって上方向に斜めに傾斜して形成される、上方向傾斜部分と、
前記上方向傾斜部分の前端から下方向に斜めに傾斜する、下方向傾斜部分と、
を備える、複数の接触点を有するカードソケット内で使用するための、請求項２に記載のカードソケット接触端子。
【請求項４】
前記主端子および補助端子は異なる長さおよび接触点の高さを有する、複数の接触点を有するカードソケット内で使用するための、請求項１〜３のいずれか一項に記載のカードソケット接触端子。
【請求項５】
前記主端子の接触点および前記補助端子の接触点は異なる深さ方向位置で形成される、複数の接触点を有するカードソケット内で使用するための、請求項４に記載のカードソケット接触端子。
【請求項６】
前記補助端子が前記主端子より長く形成され、その前端が筐体上で前記主端子の前端より低く位置付けられる、複数の接触点を有するカードソケット内で使用するための、請求項５に記載のカードソケット接触端子。
【請求項７】
前記筐体内に載置されるとき、前記補助端子の前端が前記筐体の内部フロアより低く位置される、複数の接触点を有するカードソケット内で使用するための、請求項６に記載のカードソケット接触端子。
【請求項８】
前記主端子および接触端子は前記接続部分の前端から分岐して形成される、複数の接触点を有するカードソケット内で使用するための、請求項３に記載のカードソケット接触端子。
【請求項９】
前記主端子は、前記接続部分に接続する部分から前記接触点の前の部分へと左から右に狭まる形状で形成される、複数の接触点を有するカードソケット内で使用するための、請求項８に記載のカードソケット接触端子。
【請求項１０】
前記主端子の左右の側面のうち、前記補助端子の方に位置する側面が、前記主端子の幅方向の幅が前端に接近して減少されるように、傾斜して形成される、複数の接触点を有するカードソケット内で使用するための、請求項９に記載のカードソケット接触端子。
【請求項１１】
前記主端子および補助端子を接続する接続部分上に、塑性変形を伴うことなく前記主端子および補助端子の弾性変形を容易にするために、弾性強化穴が形成される、複数の接触点を有するカードソケット内で使用するための、請求項９に記載のカードソケット接触端子。
【請求項１２】
前記弾性強化穴は、各々の端子の前端に向かって幅方向の幅が増大する形状に形成される、複数の接触点を有するカードソケット内で使用するための、請求項１１に記載のカードソケット接触端子。
【発明の詳細な説明】
【技術分野】
【０００１】
本発明は、携帯電話のような電子装置上に備え付けられるカードソケット接触端子に関し、より具体的に、カード上に備え付けられる単一のカード端子との複数の接触を可能にするように複数の接触点を有するカードソケット接触端子に関する。
【背景技術】
【０００２】
携帯電話に備え付けられる多様なカードの中で、ＳＩＭカードは、電話を操作するために必要な情報の大部分を搭載していて、特に、それらは、電話番号、ネットワーク番号等、を含む関連性のある暗号化されたデータに加えて、パスワードのような加入者の個人情報を搭載している。携帯端末は、したがって端子内部に載置される主回路基板にＳＩＭカードソケットと共に備え付けられ、ＳＩＭカードがＳＩＭカードソケットと電気接触するように設計される。
【０００３】
ＳＩＭカード上に備え付けられるカード端子と併せて接触が生じる、ＳＩＭカードソケットに接触端子は備え付けられる。カード端子およびソケットの接触端子は、相関的な対応を有し、大韓民国登録特許第０９１９９４８号（以後「先行特許」）にあるように、単一の接触端子は単一のカード端子と接触する。
【０００４】
先行特許において、ＳＩＭカード上に備え付けられるように備え付けられる同数の接触端子が筐体に存在し、接触端子の接触点部分は、ＳＩＭカードのカード端子と接触するように筐体の底面から突出する。
【０００５】
ＳＩＭカード上に備え付けられるカード端子上のように、ＳＩＭカードソケット上に同数の接触端子が備え付けられる場合、先行技術では、ＳＩＭカードソケット上に備え付けられる一部の接触端子が損傷した場合、信号が適切に伝送されることが可能ではなく、欠陥製品に繋がることが避けられない。
【発明の概要】
【発明が解決しようとする課題】
【０００６】
上に記載の先行技術の問題を解決するために考案された、本発明の目的は、複数の接触が、カード上に備え付けられる単一のカード端子と形成されるところの複数の接触点を有する長所により、カード端子と確実に接触することが可能である複数の接触点を有するカードソケット接触端子を提供することである。
【課題を解決するための手段】
【０００７】
本発明の複数の接触点を有するカードソケット接触端子は、多様な種類のデータまたは情報を保持するカードと接触するように、電子装置上に備え付けられるカードソケットの筐体上に備え付けられ、カード端子と接触するようにカード上に備え付けられるカード端子の数に対応する数で備え付けられる主端子と、それぞれの主端子が接続する同一のカード端子およびそれぞれの主端子の双方各々に接続される補助端子とを備え、単一のカード端子との複数の接触を形成することが可能であるため、万一主端子が損傷した場合でも補助端子を介してカード端子との接触が可能である。
【０００８】
垂直方向に補助端子が弾性変形を被る場合、主端子がまた垂直方向に弾性変形を被る。
【０００９】
主端子および補助端子は、内部弾性を有するように前端に向かって上方向に斜めに傾斜して形成される、主端子および補助端子を接続する接続部分から延在する上方向傾斜部分と、上方向傾斜部分の前端から下方向に斜めに傾斜する、下方向傾斜部分とを備える。
【００１０】
主端子および補助端子は、長さおよび接触点の高さにおいて異なる。
【００１１】
主端子の接触点および補助端子の接触点は、深さ方向に異なる位置付けで形成される。
【００１２】
補助端子は主端子より長く形成され、その前端が筐体上で主端子の前端より低く位置付けられる。
【００１３】
筐体に載置されるとき、補助端子の前端が筐体の内部フロアより低く位置される。
【００１４】
主端子および補助端子は、接続部分の前端から分離して形成される。
【００１５】
主端子は、接触点の前の部分への接続部分に接続する部分から左から右に狭まる形状で形成される。
【００１６】
主端子の左および右側の、前端に接近して主端子の幅方向に幅が減少されるように、補助端子に向かって位置する側面が傾斜して形成される。
【００１７】
主端子および補助端子に接続する接続部分上で、弾性強化穴が、塑性変形を伴うことなく主端子および補助端子の弾性変形を容易にするために形成される。
【００１８】
弾性強化穴は、各々の端子の前端に向かって幅方向に幅が増大する。
【発明の効果】
【００１９】
複式接触点を有するカードソケット接触は次の効果を有する。
【００２０】
第１に、主端子および補助端子に分けられるＳＩＭカード上に備え付けられる各々のカード端子に対応する接触端子のためカード端子との複数の接触点が形成されるため、万一接触状態が、例えば主端子が損傷されるため、不良である場合、補助端子をまたカード端子に接触させて接触端子とカード端子との間の不良接続が防止されることが可能であり、よって製品信頼性を可能にすることが維持される。
【００２１】
第２に、主端子は、その先端部に向かって狭まるように形成され、弾性強化穴が接続部分上で形成されるため、ＳＩＭカードがカードソケットへ挿入またはカードソケットから引き抜かれるときの弾性変形を容易にすることが可能であり、それにより接触端子の塑性変形が防止され得る。したがって、接触端子は塑性的に変形されず、変形後弾性的にその元の状態に戻り、長期間にわたって製品品質が保たれることが可能になる。
【００２２】
第３に、補助端子は主端子より長く形成されその端部は主端子より低く位置されるため、筐体上に補助端子が載置されるときそれは筐体の内部フロアより下に位置され、カードが添付されないカードアダプタがカードソケットで挿入位置から取り外されるとき、次いでカードアダプタは補助または主端子のうちのいずれも捕らえることなく真っ直ぐに取り外されることが可能である。
【図面の簡単な説明】
【００２３】
【図１】本発明の実施形態１における、複式接触点を有するカードソケット接触端子を使用してカードソケットへＳＩＭカードが挿入される状態を図式的に示す図である。
【図２】本発明の実施形態１における、複数の接触点を有するカードソケット接触端子の斜視図である。
【図３】図２の上面図である。
【図４】図２の正面図である。
【図５】カードアダプタの上面図である。
【図６】ソケットから本発明の実施形態１における、接触端子を備え付けられたソケットに以前に挿入されたカードアダプタを取り外す過程を示す図である。
【図７】ソケットから本発明の実施形態１における、接触端子を備え付けられたソケットに以前に挿入されたカードアダプタを取り外す過程を示す図である。
【図８】ソケットから本発明の実施形態１における、接触端子を備え付けられたソケットに以前に挿入されたカードアダプタを取り外す過程を示す図である。
【図９】ソケットから本発明の実施形態１における、接触端子を備え付けられたソケットに以前に挿入されたカードアダプタを取り外す過程を示す図である。
【図１０】本発明の実施形態２における、複数の接触点を有するカードソケット接触端子の斜視図である。
【図１１】図１０の上面図である。
【発明を実施するための形態】
【００２４】
以下本明細書に、本発明の好ましい実施形態における、複数の接触点を有するカードソケットのための接触端子は、添付の図面への参照と共に、詳細に記載される。
【００２５】
図１は、本発明の実施形態１における、複式接触点を有するカードソケット接触端子を使用してカードソケットへＳＩＭカードが挿入される状態を図式的に示す図である。
【００２６】
カードソケット（１）は、筐体（１００）、接触端子（２００）、および金属電池（３００）を備える。
【００２７】
ＳＩＭカード（２）が挿入され、ＳＩＭカード（２）によって接触端子（２００）が押圧されるとき、弾性変形を可能にするための端子変形穴（１０１）が、筐体（１００）内に形成される。
【００２８】
接触端子（２００）の後端は、筐体（１００）内に埋め込まれ、前端は、ＳＩＭカード（２）のカード端子（２ａ）に接触するように筐体（１００）の端子変形穴（１０１）を介して露出される。接触端子（２００）は、ＳＩＭカード（２）上に備え付けられるカード端子（２ａ）の数に対応する数で備え付けられる、カード端子（２ａ）に接触する主端子（２１０）と、万一主端子（２１０）が損傷された場合でもカード端子（２ａ）との接続が維持されることが可能であるように主端子（２１０）に接続される補助端子（２２０）とを備える。
【００２９】
図面に示されるように、主端子（２１０）および補助端子（２２０）は同時に同一のカード端子（２ａ）と接触するため、補助端子（２２０）は、万一主端子（２１０）が損傷された場合でも（および万一補助端子がまた損傷された場合でも主端子およびカード端子の接続を維持すること）カード端子（２ａ）とのその接続を維持する、しかしながら、構成はこれらに限定されず、主端子（２１０）のみがカード端子（２ａ）と接触し主端子（２１０）が損傷された場合のみ補助端子（２２０）がカード端子（２ａ）に接触するように構成されることがまたある。
【００３０】
主端子（２１０）の接触点および補助端子（２２０）の接触点は、それらがカード端子（２ａ）に接触することが可能であるようにＳＩＭカード（２）が挿入されてしまう前に双方筐体（１００）の内部フロアの上部上に位置される。
【００３１】
図２は、本発明の実施形態１における、複数の接触点を有するカードソケット接触端子の斜視図であり、図３は図２の上面図であり、図４は図２の正面図である。
【００３２】
本実施形態における接触端子（２００）は、主端子（２１０）、補助端子（２２０）、接続部分（２３０）、および埋め込み部分（２４０）を備える。
【００３３】
主端子（２１０）は、前端へ向かって上方向へ斜めに傾斜して形成されるため内部弾性を有する第１の上方向傾斜部分（２１１）と、第１の上方向傾斜部分（２１１）の前端から斜め下方向に傾斜して延在する第１の下方向傾斜部分（２１２）と、カード端子（２ａ）に接触するように第１の上方向傾斜部分（２１１）の上端に形成される第１の接触点（２１３）とを備える。第１の上方向傾斜部分（２１１）は、直線では形成されず、より大きな弾性を与えるために単一の上方向への曲線で形成される。
【００３４】
補助端子（２２０）は、前端に向かって上方向へ斜めに傾斜して形成されるため内部弾性を有する第２の上方向傾斜部分（２２１）と、第２の上方向傾斜部分（２２１）の前端から斜め下方向に傾斜して延在する第２の下方向傾斜部分（２２２）と、第２の上方向傾斜部分（２２１）の上端でカード端子（２ａ）に接触するように形成される第２の接触点（２２３）とを備える。
【００３５】
接続部分（２３０）は、接続部分（２３０）の前端から主端子（２１０）および補助端子（２２０）が分岐されるように、主端子（２１０）および補助端子（２２０）の後方の部分を接続する。接続部分（２３０）は、主端子（２１０）および補助端子（２２０）の弾性を増大するために弾性強化穴（２３１）を有する。主端子（２１０）および補助端子（２２０）が変形される場合、この弾性強化穴（２３１）のために、塑性的に変形されるのではなくスムーズに弾性的に変形されることになる。特に、弾性強化穴（２３１）が後方から各々の端子（２１０）（２２０）の前端に向かって幅方向に幅が減少されるため、弾性強化穴（２３１）の左側または右側に位置する部分の幅方向の幅もまた、それぞれの端子（２１０）（２２０）の前端に向かって減少される。結果として、弾性変形が容易になる。
【００３６】
埋め込み部分（２４０）は、筐体（１００）および接触端子（２００）がオーバーモールドされる場合、それが筐体（１００）内に組み込まれて固定されるように、接続部分（２３０）の後方から主端子（２１０）および補助端子（２２０）の両側に向かって延在する。
【００３７】
主端子（２１０）はまた、接続部分（２３０）から第２の接触点（２２３）が形成される部分までそれが分岐する点から幅方向に幅を狭めながら形成され、真っ直ぐな弾性変形を可能にする。このために、補助端子（２２０）に向かって位置する側面は、傾斜して形成される。
【００３８】
補助端子（２２０）の第２の接触点（２２３）は主端子（２１０）の第２の接触点（２２３）の前に位置され、その高さは第２の接触点（２２３）より低い。加えて、補助端子（２２０）は主端子（２１０）より長く形成され、補助端子（２２０）の前端は主端子（２１０）の前端の下に位置される。
【００３９】
図５は、カードアダプタの上面図であり、図６から９は、ソケットから本発明の実施形態１における、接触端子を備え付けられたソケットに以前に挿入されたカードアダプタを取り外す過程を示す図である。
【００４０】
ＳＩＭカードは、ミニＳＩＭカード、マクロＳＩＭカード、およびナノＳＩＭカードを含む、様々なサイズで製造され使用される。これらのカードはサイズの点で異なるため、対応するソケットのサイズはしたがってまた変化しなければならない。ゆえにそれぞれに異なるソケットが各々のカードのために備え付けられる場合、これが製品の単価原価を増大する要因になり、よって大および小ＳＩＭカード双方が使用されることを可能にするカードアダプタ（３）が開発されて実装された。具体的に、小ＳＩＭカードが使用のためにカードアダプタに連結される一方で、大ＳＩＭカードはアダプタなしでそのままでたやすく使用される。
【００４１】
携帯電話が出荷されるとき、一般的にそれらはカードソケットに連結されるカードアダプタと共に出荷される。加えて、使用に当たって時折ＳＩＭカードはＳＩＭカードアダプタに連結されず、カードアダプタのみがカードソケットに連結される。
【００４２】
図５に示されるように、ＳＩＭカードが挿入されおよび連結されるためにカードアダプタ（３）上にカード連結穴（３ａ）が備え付けられ、接触端子は挿入の方向で傾斜して形成されるため、カードアダプタ（３）がカードソケットに挿入されるとき、カードアダプタ（３）は接触端子に遮断されることなくスムーズに挿入されることが可能である。しかしながら、カードアダプタ（３）がカードソケットから取り外される場合、カードアダプタ（３）のカード連結穴（３ａ）は、接触端子の前端を捕らえ容易な分離を防止し、かつ加えて、接触端子は取り外し中に用いられた過度の力により変形され損傷される場合がある。本発明は、補助端子（２２０）を備え付けることによりこれらの問題を解決することが可能である。
【００４３】
図６に示されるように、本発明において、接触端子（２００）が筐体（１００）上に載置されるとき、主端子（２１０）の前端は筐体（１００）の内部フロア上に位置され、補助端子（２２０）の前端は筐体（１００）の内部フロアの下に位置される。
【００４４】
カードアダプタ（３）がカードソケット（１）に連結されるとき、カード連結穴（３ａ）の端部は接触端子（２００）の前端に接触しない。接触がされても、主端子（２１０）との接触はされないが、補助端子（２２０）の前端部分の上面に接触する。
【００４５】
図７に示されるように、カードアダプタ（３）が、それを取り外すために引き抜かれるとき、カード連結穴（３ａ）の端部は、補助端子（２２０）が下方向に押される際、最初に補助端子（２２０）の前端の上面に接触される。補助端子（２２０）がよって下方向に押される場合、補助端子（２２０）と単一のユニットとして接触される、主端子（２１０）はまた、降下し、その前端は筐体（１００）の内部面のフロアより下に降下する。したがって、カード連結穴（３ａ）の端部は、主端子（２１０）の前端を捕らえない。
【００４６】
図８に示されるように、カードアダプタ（３）が、引き抜かれ続ける場合、カード連結穴（３ａ）周辺の領域は補助端子（２２０）および主端子（２１０）双方に対して押し付け、ゆえにカードソケット（１）からスムーズな分離が可能になる。
【００４７】
図９に示されるように、接触端子（２００）がカードアダプタ（３）を取り外す過程で押される場合、主端子（２１０）および補助端子（２２０）を備える接触端子（２００）は、それ自体の弾性によりその元の状態に復する。
【００４８】
図１０は、本発明の実施形態２における、複数の接触点を有するカードソケット接触端子の斜視図であって、図１１は、図１０の上面図である。
【００４９】
本実施形態におけるカードソケット接触端子（４００）は、主端子（４１０）および補助端子（４２０）、接続部分（４３０）、ならびに埋め込み部分（４４０）を備える。
【００５０】
実施形態１と対照的に、本実施形態におけるカードソケット接触端子（４００）は、主端子（４１０）の幅が前端に向かって一定のまま留まる形状を有する。実施形態１のように、補助端子（４２０）も同様に、前端に向かって一定の幅を維持する。
【００５１】
本実施形態において、分離する弾性強化穴は接続部分（４３０）上に形成されず、埋め込み部分（４４０）は、実施形態１の埋め込み部分（２４０）と同一である。
【００５２】
本明細書上文に、好ましい実施形態に基づいて本発明の複式接触点を有するソケット接触端子の記載が所与されているが、本発明は固有の実施形態に限定されるわけではなく、特許請求の範囲で開示される範囲から逸脱することなく当業者はこれらの実施形態を任意の程度に修正することが可能である。
【００５３】
例えば、提示される本発明の実施形態は、主端子および補助端子が相関的に備え付けられるが、発明はそれのみに限定されず、補助端子は主端子の両側上に備え付けられことが可能である。さらに、補助端子の前端は、補助端子が主端子の両側上に備え付けられた場合、接続されることが可能である。本発明の提示される実施形態において、補助端子に向かう側面は主端子の弾性を増大するために傾斜して形成されたが、発明はそれのみに限定されず、主端子の幅方向に幅が狭められるように他の側面が傾斜して形成されることもまた可能であろう。
【符号の説明】
【００５４】
１：カードソケット
２：ＳＩＭカード
２ａ：カード端子
３：カードアダプタ
３ａ：カード連結穴
１００：筐体
１０１：端子変形穴
２００：接触端子
２１０：主端子
２１１：第１の上方向傾斜部分
２１２：第１の下方向傾斜部分
２１３：第１の接触点
２２０：補助端子
２２１：第２の上方向傾斜部分
２２２：第２の下方向傾斜部分
２２３：第２の接触点
２３０：接続部分
２３１：弾性強化穴
２４０：埋め込み部分
３００：金属電池
【図１】
2015002174.tif 000003
【図２】
2015002174.tif 000004
【図３】
2015002174.tif 000005
【図４】
2015002174.tif 000006
【図５】
2015002174.tif 000007
【図６】
2015002174.tif 000008
【図７】
2015002174.tif 000009
【図８】
2015002174.tif 000010
【図９】
2015002174.tif 000011
【図１０】
2015002174.tif 000012
【図１１】
2015002174.tif 000013